(57)【要約】【課題】スピーカの振動を本体に伝わりにくくできる電子機器を提供する。【解決手段】電子機器は、筐体２１と、筐体２１に取り付けられるスピーカ２５と、筐体２１に対してスピーカ２５を固定するための第１の板金３１および第２の板金３２と、を具備する。スピーカ２５は、第１の板金３１と第２の板金３２との間に挟まれて保持されるとともに、スピーカ２５に対する第１の板金３１の接触面積は、スピーカ２５に対する第２の板金３２の接触面積と異なる。【選択図】図５
2009065458.tif 000002
【特許請求の範囲】
【請求項１】
筐体と、
前記筐体に取り付けられるスピーカと、
前記筐体に対して前記スピーカを固定するための第１の板金および第２の板金と、
を具備し、
前記スピーカは、前記第１の板金と前記第２の板金との間に挟まれて保持されるとともに、前記スピーカに対する前記第１の板金の接触面積は、前記スピーカに対する前記第２の板金の接触面積と異なることを特徴とする電子機器。
【請求項２】
前記スピーカは、音が出力される第１の面と、前記第１の面とは反対側の第２の面と、を有する円盤状に形成され、
前記第１の板金は、前記第１の面に当接され、
前記第２の板金は、前記第２の面に当接されるとともに、
前記第１の面に対する前記第１の板金の接触面積は、前記第２の面に対する前記第２の板金の接触面積よりも小さいことを特徴とする請求項１に記載の電子機器。
【請求項３】
前記スピーカは、前記筐体と分離した位置に保持されることを特徴とする請求項２に記載の電子機器。
【請求項４】
前記第１の板金は、前記第２の板金よりも可撓性が大きいことを特徴とする請求項３に記載の電子機器。
【請求項５】
前記第１の板金の厚み寸法は、前記第２の板金の厚み寸法よりも小さいことを特徴とする請求項４に記載の電子機器。
【請求項６】
前記第２の板金は、前記スピーカの下方に配置されることを特徴とする請求項５に記載の電子機器。
【請求項７】
前記筐体に対して前記第１の板金と前記第２の板金とを位置決めするための位置決め機構をさらに具備することを特徴とする請求項６に記載の電子機器。
【請求項８】
前記スピーカを収容できるように前記筐体に形成される収容部と、
前記位置決め機構に対して、前記収容部を間に挟んだ反対側の位置で、前記第１の板金の端部と前記第２の板金の端部とを差し込み可能に前記筐体に形成される差込部と、
を有することを特徴とする請求項７に記載の電子機器。
【請求項９】
前記第１の板金は、
第１の板金本体と、
前記第１の板金本体の中央部に設けられるとともに、前記スピーカに向けて突出した半球形状の凸部と、
を有することを特徴とする請求項８に記載の電子機器。
【請求項１０】
前記第２の板金は、
第２の板金本体と、
前記第１の板金の凸部に対応するように前記第２の板金本体に設けられるとともに、平らになった当接面を有する受け部と、
を有することを特徴とする請求項９に記載の電子機器。
【発明の詳細な説明】
【技術分野】
【０００１】
本発明は、スピーカを備えた電子機器に関する。
【背景技術】
【０００２】
例えば、モールドケースにスピーカを取り付けたスピーカの取付構造が開示されている（例えば、特許文献１参照）。このスピーカの取付構造では、取付金具によって、スピーカの上側からスピーカを押さえることで、スピーカをモールドケースに固定している。取付金具は、モールドケースに対してねじ止めで固定されている。スピーカは、モールドケースと取付金具との間の位置に挟まれて固定されている。
【特許文献１】実開平３−２０５９６
【発明の開示】
【発明が解決しようとする課題】
【０００３】
しかしながら、上記従来のスピーカの取付構造では、スピーカがモールドケースに直接接触して配置されているため、スピーカの振動がモールドケースに伝達される。このため、この取付構造を用いて電子機器にスピーカを実装する場合には、この振動がモールドケースを通じて電子機器に伝達されてしまう恐れがあった。
【０００４】
本発明の目的は、スピーカの振動を本体に伝わりにくくできる電子機器を提供することにある。
【課題を解決するための手段】
【０００５】
前記目的を達成するため、本発明の一つの形態に係る電子機器は、筐体と、筐体に取り付けられるスピーカと、筐体に対してスピーカを固定するための第１の板金および第２の板金と、を具備し、スピーカは、第１の板金と第２の板金との間に挟まれて保持されるとともに、スピーカに対する第１の板金の接触面積は、スピーカに対する第２の板金の接触面積と異なる。
【発明の効果】
【０００６】
本発明によれば、スピーカの振動を本体に伝わりにくくできる電子機器を提供できる。
【発明を実施するための最良の形態】
【０００７】
以下に、図１から図６を参照して、本発明の電子機器の実施形態について説明する。
【０００８】
図１に示すように、電子機器の一例であるポータブルコンピュータ１１は、本体ユニット１２と、表示ユニット１３と、本体ユニット１２に対して回動できるように表示ユニット１３を支持するヒンジ機構１４と、を備えている。表示ユニット１３は、ディスプレイ１５を有している。ディスプレイ１５は、例えば、液晶ディスプレイで構成されている。
【０００９】
図１に示すように、本体ユニット１２は、筐体２１と、筐体２１に取り付けられたキーボード２３と、キーボード２３とヒンジ機構１４との間の位置で筐体２１を覆うカバー２４と、カバー２４の内側の位置で筐体２１に取り付けられる左右一対のスピーカ２５と、筐体２１の内部に収容されたプリント回路板およびファン２６と、筐体２１の上面に設けられるタッチパッド２７、ボタン２８および指紋認証装置２９と、を有している。本体ユニット１２は、さらに、スピーカ２５を筐体２１に取り付けるための取付構造である第１の板金３１および第２の板金３２を有している。第１の板金３１と第２の板金３２とは、筐体２１とは独立に設けられている。
【００１０】
図２と図４に示すように、筐体２１は、合成樹脂により箱状に形成されている。筐体２１は、スピーカ２５を収容するための収容部３３と、第１の板金３１と第２の板金３２とを位置決めするための位置決め機構３４と、第１の板金３１の第１の端部３１Ｅと第２の板金３２の第２の端部３２Ｅとを差し込み可能に形成される差込部３５と、第１の板金３１と第２の板金３２とをねじ止めするためのねじ穴部３６と、を有している。
【００１１】
収容部３３は、円盤状のスピーカ２５の形状に倣って、略円形の凹部として筐体２１に形成されている。位置決め機構３４は、上方に向かって起立するように設けられた位置決めピン３４Ａで構成されている。位置決めピン３４Ａおよびねじ穴部３６は、例えば、アルミダイキャストによって一体的に形成されている。差込部３５は、筐体２１に形成された方形の切欠部として形成されている。差込部３５は、位置決め機構３４に対して、収容部３３を間に挟んだ反対側の位置に形成されている。
【００１２】
プリント回路板は、図示省略したが、銅製の配線層を複数積層して形成されたプリント配線板と、プリント配線板上に実装された回路部品と、を含んでいる。
【００１３】
図３に示すように、スピーカ２５は、音を出力する主要な面となる第１の面２５Ａと、第１の面２５Ａとは反対側に位置する第２の面２５Ｂと、プリント回路板と電気的に接続するための配線２５Ｃと、を有している。スピーカ２５は、いわゆる円盤形状に形成されている。スピーカ２５の例えば第１の面２５Ａには、音を外部に放射するための複数の図示しない貫通孔が形成されている。この貫通孔から空気振動が外部に放射され、いわゆる音が出力される。スピーカ２５は、収容部３３において、第１の板金３１と第２の板金３２との間に挟まれて保持されている。すなわち、スピーカ２５は、筐体２１と分離した位置に保持されており、第１の板金３１と第２の板金３２とによってフローティングされた状態で保持されている。
【００１４】
第２の板金３２は、平板状の板材を板金加工で折り曲げて形成されている。第２の板金３２は、いわゆるジンコート鋼板、つまり亜鉛めっき鋼板で形成されており、若干の可撓性を有している。第２の板金３２は、第１の板金３１に比して、その厚み寸法が大きく形成されている。第２の板金３２は、例えば０．４ｍｍから０．５ｍｍの厚さで形成されている。
【００１５】
第２の板金３２は、第２の板金本体３２Ａと、第２の板金本体３２Ａに形成された受け部３２Ｂと、ねじ３８によって筐体２１にねじ止めするための第２のねじ孔３２Ｃと、位置決め機構３４の位置決めピン３４Ａが通される第２の位置決め孔３２Ｄと、第２の板金本体３２Ａの端に形成される第２の端部３２Ｅと、を有している。受け部３２Ｂは、後述する第１の板金３１の凸部３１Ｂに対応する位置に形成されている。受け部３２Ｂは、平らに形成された当接面３７を有している。図５に示すように、第２の板金３２は、スピーカ２５の第２の面２５Ｂに当接されている。第２の板金３２は、スピーカ２５の下方に配置されている。
【００１６】
図６に示すように、第１の板金３１は、平板状の板材を板金加工で折り曲げて形成されている。第１の板金３１は、ステンレス鋼によって可撓性を有する板ばね状に形成されている。第１の板金３１の厚み寸法は、第２の板金３２の厚み寸法よりも小さく形成されている。第１の板金３１は、例えば０．１ｍｍから０．２ｍｍの厚さで形成されている。このため、第１の板金３１の可撓性は、第２の板金３２の可撓性よりも大きくなっている。なお、第１の板金３１は、ステンレス鋼のうち、例えば、ＳＵＳ３０４で形成されているが、第１の板金３１の材質はこれに限定されるものではなく、他の種類のステンレス鋼であってもよい。
【００１７】
第１の板金３１は、第１の板金本体３１Ａと、第１の板金本体３１Ａの中央部に形成された凸部３１Ｂと、ねじ３８によって筐体２１にねじ止めするための第１のねじ孔３１Ｃと、位置決め機構３４の位置決めピン３４Ａが通される第１の位置決め孔３１Ｄと、第１の板金本体３１Ａの端に形成される第１の端部３１Ｅと、を有している。凸部３１Ｂは、第１の板金本体３１Ａからスピーカ２５に向けて突出するように、半球形状に形成されている。図５に示すように、第１の板金３１は、スピーカ２５の第１の面２５Ａに当接されている。第１の板金３１は、スピーカ２５の上方に配置されている。
【００１８】
なお、スピーカ２５の第１の面２５Ａに対する第１の板金３１の接触面積は、スピーカ２５の第２の面２５Ｂに対する第２の板金３２の接触面積よりも小さくなっている。
【００１９】
続いて、図５を参照して、本実施形態のスピーカ２５の取付構造の作用について説明する。ポータブルコンピュータ１１において、スピーカ２５から音声が出力されると、スピーカ２５は振動する。このとき、主としてスピーカ２５の第１の面２５Ａが大きく振動する。この第１の面２５Ａの振動は、主として第１の板金３１に伝達される。第１の板金３１は、可撓性が大きくなっているため、差込部３５およびねじ３８を支点に上下方向に振動して、スピーカ２５の振動を減衰させることができる。一方、スピーカ２５の第２の面２５Ｂからも微小量の振動が第２の板金３２に伝達される。しかしながら、第２の板金３２の可撓性は、第１の板金３１に比して小さいため、第２の板金３２の振動量は小さいものになる。このため、本実施形態のスピーカ２５は、第１の板金３１および第２の板金３２によってフローティングされた構造をとっているものの、スピーカ２５が載置された第２の板金３２の振動量が小さくなっているため、スピーカ２５の取り付け状態が不安定化することはないようになっている。
【００２０】
続いて、図２を参照して、本実施形態のポータブルコンピュータ１１の筐体２１に、スピーカ２５を取り付ける工程を説明する。まず、筐体２１の収容部３３に対して、第２の板金３２を装着する。このとき、第２の板金３２の端部を差込部３５に差し込み、第２の位置決め孔３２Ｄを位置決めピン３４Ａに差し込んで、第２の板金３２を簡単に位置決めする。
【００２１】
この状態で、第２の板金３２の上側にスピーカ２５を載置して、スピーカ２５を収容部３３に収容する。さらに、スピーカ２５の上側から第１の板金３１を装着して、スピーカ２５を第１の板金３１と第２の板金３２とで挟みこむようにする。第１の板金３１は、第１の端部３１Ｅを差込部３５に差し込んで、第１の位置決め孔３１Ｄを位置決めピン３４Ａに差し込む。これによって、第１の板金３１を簡単に位置決めする。この状態で、第１のねじ孔３１Ｃおよび第２のねじ孔３２Ｃにねじ３８を締結し、第１の板金３１および第２の板金３２を筐体２１に固定する。最後に、スピーカ２５の周辺の構造を覆うように、カバー２４を筐体２１に装着し、スピーカ２５の装着作業が終了する。
【００２２】
以上が、ポータブルコンピュータ１１の実施形態である。本実施形態によれば、ポータブルコンピュータ１１は、筐体２１と、筐体２１の内部に収容されるスピーカ２５と、スピーカ２５を筐体２１に取り付けるための第１の板金３１および第２の板金３２と、を具備し、スピーカ２５は、第１の板金３１と第２の板金３２との間に挟まれて保持されるとともに、スピーカ２５に対する第１の板金３１の接触面積は、スピーカ２５に対する第２の板金３２の接触面積と異なっている。
【００２３】
この構成によれば、第１の板金３１と第２の板金３２によって、スピーカ２５から発生する振動を減衰させることができる。これによって、スピーカ２５から筐体２１に伝達されてしまう振動の量を低減することができる。また、２枚の板金３１、３２で挟みこむ構造であるため、樹脂板でスピーカ２５を挟みこむ構造に比して、スピーカ２５の取付構造を省スペース化することができる。また、スピーカ２５自体に取り付け用の金具を設ける必要がないので、市販されている汎用のスピーカを用いることができる。さらに、第１の板金３１の接触面積と第２の板金３２の接触面積とが異なっているため、第１の板金３１がスピーカ２５に押し付けられる圧力と、第２の板金３２がスピーカ２５に押し付けられる圧力とを非対称にして、いずれか一方に振動を積極的に逃がすことができる。
【００２４】
この場合、スピーカ２５は、音が出力される第１の面２５Ａと、第１の面２５Ａとは反対側の第２の面２５Ｂと、を有する円盤状に形成され、第１の板金３１は、第１の面２５Ａに当接され、第２の板金３２は、第２の面２５Ｂに当接されるとともに、第１の面２５Ａに対する第１の板金３１の接触面積は、第２の面２５Ｂに対する第２の板金３２の接触面積よりも小さい。
【００２５】
この構成によれば、第１の板金３１が第１の面２５Ａに押し付けられる圧力を第２の板金３２が第２の面２５Ｂに押し付けられる圧力よりも大きくすることができる。これにより、音が出力される第１の面２５Ａから発生する振動を積極的に第１の板金３１に逃がすことができる。
【００２６】
この場合、スピーカ２５は、筐体２１と分離した位置に保持される。この構成によれば、スピーカ２５を第１の板金３１と第２の板金３２によって、筐体２１に対してフローティングされた状態で保持することができる。これによって、スピーカ２５の振動は、第１の板金３１と第２の板金３２とを介して筐体２１に伝達され、スピーカ２５の振動が直接に筐体２１に伝達されてしまうことが防止される。このため、スピーカ２５の振動は、第１の板金３１と第２の板金３２によって減衰されて筐体２１に伝達されるため、結果として、筐体２１に伝達される振動量を低減することができる。また上記構成によれば、振動したスピーカ２５が筐体２１に繰り返し接触することがなく、ビリツキ等の不快な振動および音が筐体２１に発生することを防止できる。
【００２７】
この場合、第１の板金３１は、第２の板金３２よりも可撓性が大きい。この構成によれば、音が出力される第１の面２５Ａに対して、可撓性の大きい第１の板金３１を当接させることができる。これにより、スピーカ２５の振動が大きい第１の面２５Ａにおいて、第１の板金３１によって積極的に振動を減衰させることができる。これによって、スピーカ２５から発生する振動を効率的に減衰させることができる。
【００２８】
この場合、第１の板金３１の厚み寸法は、第２の板金３２の厚み寸法よりも小さくなっている。この構成によれば、第１の板金３１の可撓性を第２の板金３２の可撓性よりも大きくする構成を簡単に実現することができる。
【００２９】
この場合、第２の板金３２は、スピーカ２５の下方に配置される。この構成によれば、可撓性の小さい第２の板金３２でスピーカ２５を支持できるため、スピーカ２５を安定的に支持することができる。すなわち、第１の板金３１をスピーカ２５の下方に配置すると、第１の板金３１の振動によって、スピーカ２５の保持位置も変動して、スピーカ２５の保持状態が不安定になってしまう。上記の構成によれば、スピーカ２５自体が上下動することを防止して、スピーカ２５を安定的に保持することができる。
【００３０】
この場合、ポータブルコンピュータ１１は、筐体２１に対して第１の板金３１と第２の板金３２とを位置決めするための位置決め機構３４をさらに具備する。この構成によれば、例えば第１の板金３１および第２の板金３２をねじ止めで筐体２１に固定する際に、位置決め機構３４を介してこれらを仮止めすることができる。これにより、第１の板金３１および第２の板金３２を筐体２１に取り付ける際の作業性を向上できる。
【００３１】
この場合、ポータブルコンピュータ１１は、スピーカ２５を収容できるように筐体２１に形成される収容部３３と、位置決め機構３４に対して、収容部３３を間に挟んだ反対側の位置で、第１の板金３１の第１の端部３１Ｅと第２の板金３２の第２の端部３２Ｅとを差し込み可能に筐体２１に形成される差込部３５と、を有する。この構成によれば、第１の板金３１と第２の板金３２とを差込部３５に差し込むことで、第１の板金３１と第２の板金３２とを簡単に筐体２１に取り付けることができる。これによって、第１の板金３１および第２の板金３２の組み付け作業性を向上することができる。また、収容部３３を間に挟んだ両側、つまり、位置決め機構３４および差込部３５によって第１の板金３１および第２の板金３２を位置決めできるため、スピーカ２５を安定的に保持できるとともに、第１の板金３１および第２の板金３２の取付作業性を向上できる。
【００３２】
この場合、第１の板金３１は、第１の板金本体３１Ａと、第１の板金本体３１Ａの中央部に設けられるとともに、スピーカ２５に向けて突出した半球形状の凸部３１Ｂと、を有する。この構成によれば、凸部３１Ｂによって、スピーカ２５に対する所定の押し圧を確保することができる。これによって、スピーカ２５と第１の板金３１との間で、第１の板金３１に浮きを生じてしまうことを防止することができる。これによって、第１の板金３１および第２の板金３２からスピーカ２５が脱落するのを防止するとともに、スピーカ２５から生ずる振動を第１の板金３１に確実に逃がすことができる。
【００３３】
この場合、第２の板金３２は、第２の板金本体３２Ａと、第１の板金３１の凸部３１Ｂに対応するように第２の板金本体３２Ａに設けられるとともに、平らになった当接面３７を有する受け部３２Ｂと、を有する。この構成によれば、第１の板金３１の凸部３１Ｂによって確保した押し圧を受け部３２Ｂによって受けることができる。また、受け部３２Ｂは、平らな当接面３７を有して形成されるため、スピーカ２５が凸部３１Ｂを支点にぐらついてしまうことを防止することができる。
【００３４】
この場合、第１の板金３１は、ステンレス鋼で形成される。この構成によれば、ステンレス鋼の性質によって、第１の板金３１の可撓性を大きくすることができる。
【００３５】
この場合、第２の板金３２は、亜鉛めっき鋼板で形成される。この構成によれば、剛性の高い亜鉛めっき鋼板を使用することによって、第２の板金３２の可撓性を第１の板金３１の可撓性よりも小さくすることができる。
【００３６】
本実施形態のスピーカ２５の取付構造は、上記実施形態に示したポータブルコンピュータ１１用に限られず、例えばデスクトップパソコン、携帯電話のようなその他の電子機器に対しても実施可能である。また、本実施形態では、合成樹脂製の筐体２１に対して、スピーカ２５を取り付ける構造になっているが、これに限定されるものではない。金属製の構造物に一対の板金３１、３２を用いてスピーカ２５を取り付けてもよいし、例えばマグネシウム合金製の筐体に一対の板金３１、３２を用いてスピーカ２５を取り付けてもよい。その他、電子機器は、発明の要旨を逸脱しない範囲で種々変形して実施することができる。
【図面の簡単な説明】
【００３７】
【図１】第１の実施形態に係るポータブルコンピュータの斜視図。
【図２】図１に示すポータブルコンピュータのスピーカ周辺の構造を分解して示す斜視図。
【図３】図２に示すスピーカ周辺構造のスピーカ、第１の板金、および第２の板金を拡大して示す斜視図。
【図４】図２に示す筐体の収容部を拡大して示す斜視図。
【図５】図１に示す本体ユニットのＦ５−Ｆ５線に沿った断面図。
【図６】図３に示す第１の板金を拡大して示す斜視図。
【符号の説明】
【００３８】
１１…ポータブルコンピュータ、２１…筐体、２５…スピーカ、２５Ａ…第１の面、２５Ｂ…第２の面、３１…第１の板金、３１Ａ…第１の板金本体、３１Ｂ…凸部、３２…第２の板金、３２Ａ…第２の板金本体、３２Ｂ…受け部、３３…収容部、３４…位置決め機構、３５…差込部
【図１】
2009065458.tif 000003
【図２】
2009065458.tif 000004
【図３】
2009065458.tif 000005
【図４】
2009065458.tif 000006
【図５】
2009065458.tif 000007
【図６】
2009065458.tif 000008